(57)【要約】【課題】折戸門扉のパネル間に介設する戸当りによって形成されるパネル折畳み時の間隔を広狭調整可能とすることによって戸先に設置する錠を適宜に選択してその出幅を変化しても，常に錠が他のパネルに接触するのを防止できるようにする。【解決手段】パネル１の下框３に形成した一対の係合突条４を，基体９と取付部材１８によって前後両端に形成された挟持溝２２によって挟持することによって背面側に戸当りクッション１４を突出した戸当り７を固定できるようにし，この戸当り７をパネル１の幅方向にスライドするように，その固定位置を幅方向に調整することによって該戸当り７を介設するパネル１間の間隔調整を行なうようにして，戸先側のパネル１に設置した錠が，その出幅の如何を問わずにこれとＶ字状に折畳まれる吊元側のパネル１に接触しないようする。【選択図】　　　　図７
2004076394.tif 000002
【特許請求の範囲】
【請求項１】
隣接するパネルをＶ字状折畳み自在にヒンジ連結し，その一方のパネルに設置した戸当りをパネル間に介設してこれらパネルの折畳み角度を規制して戸先側に位置するパネルに設置した錠の吊元側に位置するパネルに対する接触を回避するパネル間残余間隔を確保した折戸門扉であって，上記戸当りをそのパネルの幅方向任意位置に固定可能とすることによって戸当りのパネル幅方向位置変化によるパネル間残余間隔を広狭調整自在として上記戸先側に位置するパネルに設置した錠をその前後方向出幅を異にする複数種から選択設置自在としてなることを特徴とする折戸門扉。
【請求項２】
上記戸当りを，戸当り本体とその取付部材とによって形成し且つそのセット取付状態で上下又は前後の逆方向に向けて開口する一対の取付用挟持溝を具備したものとし，該戸当りの上記パネルに対する幅方向任意位置の固定を，パネルに形成した幅方向一連にして上下又は前後の対向方向に向けて突出した一対の係合突条を上記一対の取付用挟持溝によって長手方向任意位置で挟持することによって行なってなることを特徴とする請求項１に記載の折戸門扉。
【請求項３】
上記戸当りを非設置としたパネルに，同じく幅方向任意位置に固定可能とすることによってパネル幅方向位置変化により戸当りとの対応位置に追随調整自在とした戸当り受止め用の受部材を備えてなることを特徴とする請求項１又は２に記載の折戸門扉。
【請求項４】
上記戸当りを吊元側に位置するパネルに設置し，上記受部材を戸先側に位置するパネルに設置するとともに該受部材がパネル垂下り防止用の接地キャスターを備えてなることを特徴とする請求項３に記載の折戸門扉。
【発明の詳細な説明】
【０００１】
【発明の属する技術分野】
本発明は門扉に関し，特にパネルをＶ字状折畳み自在とした折戸門扉に関する。
【０００２】
【従来の技術】
この種折戸門扉は，隣接するパネルをＶ字状折畳み自在にヒンジ連結し，その一方のパネルに設置した戸当りをパネル間に介設してこれらパネルの折畳み角度を規制して戸先側に位置するパネルに設置した錠の吊元側に位置するパネルに対する接触を回避する残余間隔を確保したものとされ，このとき戸当りは，例えば先端の折曲片に，例えばゴムのクッションを固定したＬ字金具を用い，該Ｌ字金具を吊元側に位置するパネルの吊元側の縦框に倒Ｌ字状をなすように戸先側に位置するパネルに向けて前後方向に突出固定したものとされている。
【０００３】
【発明が解決しようとする課題】
この場合Ｌ字金具の戸当りは所定の長さを有するから上記残余間隔を残したパネルのＶ字状折り畳みが可能となり，折戸門扉の開閉時に，戸先側に位置するパネルに設置した錠の，例えばノブやレバーハンドルが吊元側に位置するパネルに接触するのを防止し，これを欠くときに予想される衝接によるパネルのへこみ，錠の損傷等のトラブルを解消することができる。
【０００４】
しかし乍ら上記Ｌ字金具の戸当りは折戸門扉に設置する錠の出幅に合せて，これが隣接するパネルに接触するのを防止するに必要且つ充分な残余間隔を確保する長さに設定されるから，パネルと錠との画一的な組合わせの規格商品を大量生産するときは別としても，パネルと錠との組合わせを可変としてデザインを変化する場合のように，パネルと錠との自由な組合わせを許容すると，錠の種類，ハンドルの種類等によって錠の出幅が変化する一方，戸当りはその長さが固定的で，これによってパネル間に形成確保される残余間隔も固定的であるから，残余間隔を変化するために，長さを変化した複数の戸当りを用意し，錠の出幅に応じてこれを選択使用する必要が生じるが，パネルと錠の組合わせを可変とする上で，更に戸当りの種類を複数とすることは煩雑であるとともに誤梱包，誤発注による工事障害や誤使用によるクレーム等を招き易い。
【０００５】
本発明はかかる事情に鑑みてなされたもので，その解決課題とするところは，所定の戸当りを用いて簡易且つ確実にパネル間の残余間隔を広狭調整自在とするとともに該残余間隔の広狭調整を行なうことによって錠の出幅を問うことなく，パネルと錠との組合わせを可変とした折戸門扉を提供するにある。
【０００６】
【課題を解決するための手段】
上記課題に添って本発明は，戸当りをパネルの幅方向にスライドして設置するが如くに，その幅方向任意位置に固定可能とすることによって所定の長さの戸当りを介設することによって形成されるパネル間の残余間隔を広狭調整自在とし，錠の出幅に応じて戸当りの位置を幅方向に移動することによって残余間隔を設定し，上記パネルと錠の組合わせの自由性を許容するようにしたものであって，即ち請求項１に記載の発明は，隣接するパネルをＶ字状折畳み自在にヒンジ連結し，その一方のパネルに設置した戸当りをパネル間に介設してこれらパネルの折畳み角度を規制して戸先側に位置するパネルに設置した錠の吊元側に位置するパネルに対する接触を回避するパネル間残余間隔を確保した折戸門扉であって，上記戸当りをそのパネルの幅方向任意位置に固定可能とすることによって戸当りのパネル幅方向位置変化によるパネル間残余間隔を広狭調整自在として上記戸先側に位置するパネルに設置した錠をその前後方向出幅を異にする複数種から選択設置自在としてなることを特徴とする折戸門扉としたものである。
【０００７】
請求項２に記載の発明は，上記に加えて，パネルに対して戸当りの固定を，可及的に容易且つ安定確実になし得るものとするように，これを，上記戸当りを，戸当り本体とその取付部材とによって形成し且つそのセット取付状態で上下又は前後の逆方向に向けて開口する一対の取付用挟持溝を具備したものとし，該戸当りの上記パネルに対する幅方向任意位置の固定を，パネルに形成した幅方向一連にして上下又は前後の対向方向に向けて突出した一対の係合突条を上記一対の取付用挟持溝によって長手方向任意位置で挟持することによって行なってなることを特徴とする請求項１に記載の折戸門扉としたものである。
【０００８】
請求項３に記載の発明は，同じく上記に加えて，戸当りとともに該戸当りの受止めを行なう受部材を対として使用するとともに該受部材を位置変化する戸当りに追随調整した位置に，同様に可及的容易且つ安定確実に固定し得るものとするように，これを上記戸当りを非設置としたパネルに，同じく幅方向任意位置に固定可能とすることによってパネル幅方向位置変化により戸当りとの対応位置に追随調整自在とした戸当り受止め用の受部材を備えてなることを特徴とする請求項１又は２に記載の折戸門扉としたものである。
【０００９】
請求項４に記載の発明は，同じく上記に加えて，戸当りと対で使用する上記受部材を有効に利用してこれに接地キャスターを備えることによって受部材をキャスター兼用のものとして，これらの部材の可及的な共通化を図るとともに，該受部材がパネルに対して幅方向に位置調整が可能であることから，例えば折戸門扉をＶ字状折畳み状態又は伸張状態で回動開閉するについて，戸当りと対応する相互の位置関係を確保しつつ，キャスターの位置をパネル幅方向に移動調整することにより，該キャスターの回動軌跡上に，水道メーターやコンクリート仕上の凹凸等の開閉障害が存在するのを回避し，折戸門扉の一層スムーズな開閉をなし得るものとするように，これを上記戸当りを吊元側に位置するパネルに設置し，上記受部材を戸先側に位置するパネルに設置するとともに該受部材がパネル垂下り防止用の接地キャスターを備えてなることを特徴とする請求項３に記載の折戸門扉としたものである。
【００１０】
本発明はこれらをそれぞれ発明の要旨として上記課題解決の手段としたものである。
【００１１】
【発明の実施の形態】
以下図面の例に従って本発明を更に具体的に説明すれば，Ａは折戸門扉であり，該折戸門扉Ａは，隣接するパネル１をＶ字状折畳み自在にヒンジ６連結し，その一方のパネル１に設置した戸当り７をパネル１間に介設してこれらパネル１の折畳み角度を規制して戸先側に位置するパネル１に設置した錠２３の吊元側に位置するパネル１に対する接触を回避する残余間隔を確保したものとしてあり，本例にあって該折戸門扉Ａは，例えばアルミ押出形材を用いて形成したアルミ製のものとしてあり，本例の折戸門扉Ａは，中空のアルミ押出形材の上框２，下框３及び左右の縦框５を框組みし，これに同じく中空のアルミ押出形材の縦小桟を所定ピッチの等間隔に配置した共通構造にして，図３に示すように同幅とし又は図４に示すように異幅とした各２枚のパネル１を上記ヒンジ６連結することによってＶ字状折畳み自在に配置し，該２枚のパネル１合計４枚を左右に各１対配置し，それぞれその吊元側に位置するパネル１の端部縦框５を吊元支柱２４にヒンジ６連結することによって左右の支柱２４間に上記２対の各枚のパネル１を両開き状に配置したものとしてあり，このとき一対の戸先側に位置するパネル１には錠２３，即ちそれぞれ錠本体と錠受とを設置し，これら戸先側に位置するパネル１同士を施開錠自在とするようにしてある。
【００１２】
折戸門扉Ａは，上記戸当り７をそのパネル１の幅方向任意位置に固定可能とすることによって戸当り７のパネル１幅方向位置変化によるパネル１間残余間隔を広狭調整自在として上記戸先側に位置するパネル１に設置した錠２３をその前後方向出幅を異にする複数種から選択設置自在としたものとしてあり，本例にあって上記戸当り７は，これを，戸当り本体とその取付部材１８とによって形成し且つそのセット取付状態で上下又は前後の逆方向に向けて開口する一対の取付用挟持溝２２を具備したものとし，該戸当り７の上記パネル１に対する幅方向任意位置の固定を，パネル１に形成した幅方向一連にして上下又は前後の対向方向に向けて突出した一対の係合突条４を上記一対の取付用挟持溝２２によって長手方向任意位置で挟持することによって行なったものとしてある。
【００１３】
また本例の折戸門扉Ａにあっては，上記戸当り７を非設置としたパネル１に，同じく幅方向任意位置に固定可能とすることによってパネル１幅方向位置変化により戸当り７との対応位置に追随調整自在とした戸当り受止め用の受部材８を備えたものとし，またこのとき本例の折戸門扉Ａにあって，上記戸当り７は，これを吊元側に位置するパネル１に設置し，上記受部材８は，これを戸先側に位置するパネル１に設置するとともに該受部材８がパネル１垂下り防止用の接地キャスター１６を備えたものとしてあり，本例にあって上記戸当り７と接地キャスター１６を備えた受部材８は，その不可欠な要素の構成を除いて，可及的に双方に共通の部材を用いて部材の共通化を図るとともにパネル１への設置形態も可及的に共通構造のものとするようにしてある。
【００１４】
即ち本例にあって折戸門扉Ａの上記共通構造とした各パネル１は，その各下框３に下面に開口するように断面Ｃ字状の係合溝をアルミ押出形材の成型時に一体に成形し，これによって上記一対の係合突条４を具備したものとし，戸当り７及び受部材８のパネル１への設置は，上記一対の取付用挟持溝２２によって該係合溝により形成される一対の係合突条４を挟持してその固定を行なうようにしてある。
【００１５】
このため本例の受部材８は，上記戸当り７を，戸当り本体と取付部材１８によって形成したのと同じく，受部材本体と取付部材１８によって形成し，このうち取付部材１８を戸当り７と共通とするとともに，本例にあっては更に戸当り本体と受部材本体に上記取付部材１８を共通に使用可能としたこれら本体用の基体９を用い，これに戸当り用クッション部材１４を固定することによって戸当り本体を，また接地キャスター１６を固定することによって受部材本体を形成するようにしてある。
【００１６】
本例の基体９は，上記パネル１における下框３下面の前後幅に等しい幅を持ち，前側先端に上向きに設けたＬ字状突条によって上記下框３における前側の係合突条４に合せてこれを受入自在とした前側一方の取付用挟持溝２２を形成した水平基部１０と，該水平基部１０の背面側に突出配置し，上記クッション部材１４や接地キャスター１６を固定する固定部をなす化粧中空部１２とを備えたものとし，例えばアルミ押出形材に切断，穴あけ等の加工を施し，上記化粧中空部１２の両端に化粧キャップ１３を嵌着してその端部を閉塞してＬ字ブロック状のものとしてある。
【００１７】
このとき取付部材１８は，下框３下面の上記断面Ｃ字状係合溝の前後幅より幾分幅狭にして戸当り本体又は受部材本体における基体９の長さに等しい長さを持ち，基板とその前後両端に上向きのＬ字状突条２０を設けた板状の部材によるものとしてあり，該取付部材１８は，その戸当り本体又は受部材本体とのセット取付状態で各基体９の上記水平基部１０上に載置固定自在とし，これによって上記前後逆方向に向けて開口する一対の取付用挟持溝２２を備えるようにしてあり，本例の該一対の取付用挟持溝２２は，その前側において上記水平基部１０に設けた前側一方の取付用挟持溝２２と，その後側において水平基部１０と取付部材１８における一方の上記Ｌ字状突条２０とによって形成される後側他方の取付用挟持溝２２によるものとしてある。
【００１８】
このように構成した戸当り本体又は受部材本体とこれらに共通の取付部材１８を用いた戸当り７及びその受止め用受部材８のパネル１に対する固定は，例えばパネル１の一対のうち後側の係合突条４に取付部材１８の一方のＬ字状突条２０を引掛け状に先行係合し，次いで他方の前側の係合突条４に戸当り本体又は受部材本体の上記前側一方の取付用挟持溝２２を同じく引掛け状に後続係合して挟持するようにして，これら戸当り本体又は受部材本体と取付部材１８とをそれぞれ個別装着し，その後に各基体９の水平基部１０に透設した透孔１１から上記取付部材１８に設置したネジ孔１９にネジ２１螺入をし，その先端をＣ字状の係合溝における下框４下面に突き当てることによって，該Ｃ字状係合溝に取付部材１８が納まり，戸当り本体又は受部材本体と該取付部材１８とのセット取付状態で形成される逆方向に向けて開口する一対の取付用挟持溝２２によって一対の係合突条４を挟持することによってこれを行なうものとしてある。
【００１９】
戸当り７及び受部材８を設置する位置は下框３における一対の係合突条４の長手方向任意の位置とすることができるから，戸当り７を，本例にあって吊元側に位置するパネル１の幅方向所定位置に設置する一方，キャスター兼用の受部材８を，これに応じた戸先側に位置するパネル１の戸当り７位置に対応する幅方向所定位置に設置して，戸当り７の受止めを行うようにし，またこの位置において戸先側に位置するパネル１に対して接地キャスター１６の取付固定を行なうようにすればよい。
【００２０】
このようにすることによって戸当り７がパネル１幅方向所定位置でパネル１間に介設される結果，本例にあっては該戸当り７とこれを受ける受部材８の合計長さ分の間隔が形成されるとともにその設置位置を幅方向に変化することによって該間隔を広狭調整することができるから，前後方向に出幅を異にする錠２３を使用しても，その錠２３が吊元側に位置するパネル１に接触するのを回避することができ，従って戸先側に位置するパネル１に設置した錠２３をその前後方向出幅を異にする複数種から選択設置自在とし得る。なお戸当り７を先に設置してパネル１間の残余間隔を定め，これに応じて受部材８を設置することによって接地キャスター１６の位置を定めた際に，一般になされるように折戸門扉ＡをＶ字状折畳み状態又は伸張状態で回動開閉すると，そのキャスター１６の回動軌跡上に水道メーターやコンクリート仕上の凹凸等の開閉障害が存在してスムーズな開閉が妨げられる可能性が生じるときは，例えば，パネル１間の間隔を幾分大きくする等，錠２３の接触を生じないように戸当り７と受部材８の位置を変化して，開閉障害が接地キャスター１６の回動軌跡から外れるようにすればよい。
【００２１】
図中１５は上記基体９の化粧中空部１２に戸当りクッション１４を固定するための長ネジ，１７は同じく接地キャスター１６を固定するための化粧中空部１２内に配置したナットを示す。
【００２２】
図示した例は以上のとおりとしたが，上記両開きの折戸門扉に代えて，戸先側に位置するパネルに設置した錠を，支柱に対して施錠するように構成することによって，片開きの折戸門扉として構成すること，上記戸当りを，戸当り本体とその取付部材とによって形成するとともに該戸当りの上記パネルに対する幅方向任意位置の固定を，パネルに形成した断面Ｃ字状の係合溝に取付部材をスライド自在に装着しその任意位置でネジ等固定金具を用いる等適宜の固定手段によって行うようにすること，このとき取付部材のスライド自在の装着をＣ字状の係合溝の一対の対向突条を部分的に除去した切欠部から行なうようにすること，一対の対向突条を用いるとき，これを上框又は下框の背面に上下に対向するように配置すること等を含めて，本発明の実施に当って，パネル，ヒンジ，錠，戸当り，必要に応じて用いる戸当り本体，取付部材，取付用挟持溝，係合突条，受部材，接地キャスター等の各具体的形状，構造，材質，これらの関係，これらに対する付加等は，上記発明の要旨に反しない限り様々の形態のものとすることができる。
【００２３】
【発明の効果】
本発明は以上のとおりに構成したから，請求項１に記載の発明は，戸当りを，パネルの幅方向にスライドして設置するが如くに，該パネル幅方向任意位置に固定可能とすることによって，所定の戸当りを用いて簡易且つ確実にパネル間の残余間隔を広狭調整自在とするとともに該残余間隔の広狭調整を行なうことによって錠の出幅を問うことなく，パネルと錠との組合わせを可変とした折戸門扉を提供することができる。
【００２４】
請求項２に記載の発明は，上記に加えて，戸当り本体とその取付部材を用いてそのセット取付状態で具備した一対の取付用挟持溝によってパネルに形成した一対の係合突条を挟持することによって，パネルに対して戸当りの固定を可及的容易且つ安定確実に行うものとすることができる。
【００２５】
請求項３に記載の発明は，同じく上記に加えて，戸当りとともに該戸当りの受止めを行なう受部材を対として使用するとともに該受部材を位置変化する戸当りに追随調整した位置に，同様に可及的容易且つ安定確実に固定することができる。
【００２６】
請求項４に記載の発明は，同じく上記に加えて，戸当りと対で使用する上記受部材を有効に利用してこれに接地キャスターを備えることによって受部材をキャスター兼用のものとして，これらの部材の可及的な共通化を図るとともに，該受部材がパネルに対して幅方向に位置調整が可能であることから，例えば折戸門扉をＶ字状折畳み状態又は伸張状態で回動開閉するについて，戸当りと対応する相互の位置関係を確保しつつ，キャスターの位置をパネル幅方向に移動調整することにより，該キャスターの回動軌跡上に，水道メーターやコンクリート仕上の凹凸等の開閉障害が存在するのを回避し，折戸門扉の一層スムーズな開閉をなし得るものとすることができる。
【図面の簡単な説明】
【図１】パネルの配置状態を示す折戸門扉の背面図である。
【図２】２枚のパネルと戸当り及び受部材の関係を示す斜視図である。
【図３】同幅２枚のパネルと戸当り及び受部材の関係を示す平面図である。
【図４】異幅２枚のパネルと戸当り及び受部材の関係を示す斜視図である。
【図５】戸当り及び受部材の分解斜視図である。
【図６】戸当りを設置したパネルの斜視図である。
【図７】下框と戸当りとの関係を示す拡大縦断面図である。
【図８】下框と受部材との関係を示す拡大縦断面図である。
【符号の説明】
Ａ　折戸門扉
１　パネル
３　下框　ヒンジ
４　係合突条
６　ヒンジ
７　戸当り
８　受部材
１４　戸当りクッション
１６　接地キャスター
１８　取付部材
２３　錠
【図１】
2004076394.tif 000003
【図２】
2004076394.tif 000004
【図３】
2004076394.tif 000005
【図４】
2004076394.tif 000006
【図５】
2004076394.tif 000007
【図６】
2004076394.tif 000008
【図７】
2004076394.tif 000009
【図８】
2004076394.tif 000010